(57)【要約】    【課題】      上り回線のパケットの伝送品質をより確実に改善するＴＰＣコマンドを選択し、結果として、上り回線における再送を低減してセクタースループットを向上させること    【解決手段】  復調部２１０は、基地局装置ごとの受信信号を誤り訂正復号部２２０およびＴＰＣコマンド選択部２４０へ出力する。誤り訂正復号部２２０は、基地局装置ごとのＡＣＫ／ＮＡＣＫをデータ再送制御部２３０およびＴＰＣコマンド選択部２４０へ出力する。ＴＰＣコマンド選択部２４０は、優先度が最大のＴＰＣコマンドをＡＣＫ／ＮＡＣＫの情報に基づいて選択する。送信電力制御部２８０は、優先度が最大のＴＰＣコマンドの内容に応じて送信電力を決定する。また、送信電力制御部２８０は、ＴＰＣコマンド選択部２４０から複数の優先度が最大のＴＰＣコマンドが出力された場合、オアオブダウン方式によって送信電力を決定する。  【選択図】      図２
2006081085.tif 000002
【特許請求の範囲】
【請求項１】
上り回線の信号に対する受信確認応答および送信電力制御コマンドを複数の基地局装置から受信する受信手段と、
受信された複数の受信確認応答を用いて、受信された複数の送信電力制御コマンドのうち優先度が最大の送信電力制御コマンドを選択する選択手段と、
選択された送信電力制御コマンドに従って送信電力を制御する制御手段と、
を有することを特徴とする移動局装置。
【請求項２】
前記選択手段は、
最も新しく受信された基地局装置ごとの受信確認応答が受信成功を示すＡＣＫであるか受信失敗を示すＮＡＣＫであるかを判定する判定部と、
判定の結果、受信確認応答がＡＣＫである基地局装置から送信された送信電力制御コマンドを抽出する抽出部と、
を有することを特徴とする請求項１記載の移動局装置。
【請求項３】
前記選択手段は、
過去に受信された受信確認応答を用いて、優先度が最大である送信電力制御コマンドを選択することを特徴とする請求項１記載の移動局装置。
【請求項４】
前記選択手段は、
最大ドップラー周波数に応じて過去の受信確認応答を送信電力制御コマンドの選択に反映することを特徴とする請求項３記載の移動局装置。
【請求項５】
前記選択手段は、
受信された基地局装置ごとの受信確認応答の履歴を記憶するバッファ手段と、
受信された受信確認応答を数値化して基地局装置ごとの得点とする数値化手段と、
得点が最も高い基地局装置から送信された送信電力制御コマンドを抽出する抽出手段と、
を含むことを特徴とする請求項３記載の移動局装置。
【請求項６】
前記数値化手段は、
所定の区間内の受信確認応答におけるＡＣＫの数を計数して基地局装置ごとの得点とする計数部、
を有することを特徴とする請求項５記載の移動局装置。
【請求項７】
前記数値化手段は、
所定の区間内の受信確認応答に対して点数を付与する点数化部と、
所定の区間内における基地局装置ごとの点数の加算平均を算出して基地局装置ごとの得点とする算出部と、
を有することを特徴とする請求項５記載の移動局装置。
【請求項８】
前記数値化手段は、
前回の基地局装置ごとの得点に重み付けをした上で新たに受信された受信確認応答に付与される点数を加算して今回の基地局装置ごとの得点を算出する重み付け点数化部、
を有することを特徴とする請求項５記載の移動局装置。
【請求項９】
前記重み付け点数化部は、
最大ドップラー周波数に応じて前回の基地局装置ごとの得点に重み付けすることを特徴とする請求項８記載の移動局装置。
【請求項１０】
前記数値化手段は、
初めて送信された信号に対するＡＣＫと再送された信号に対するＡＣＫとを異なる値に数値化することを特徴とする請求項５記載の移動局装置。
【請求項１１】
前記制御手段は、
複数の送信電力制御コマンドが選択された場合に、送信電力を下げる旨の送信電力制御コマンドが少なくとも１つ選択されていれば送信電力を減少させることを特徴とする請求項１記載の移動局装置。
【請求項１２】
上り回線の信号に対する受信確認応答および送信電力制御コマンドを複数の基地局装置から受信するステップと、
受信された複数の受信確認応答を用いて、受信された複数の送信電力制御コマンドのうち優先度が最大の送信電力制御コマンドを選択するステップと、
選択された送信電力制御コマンドに従って送信電力を制御するステップと、
を有することを特徴とする上り回線送信電力制御方法。
【発明の詳細な説明】
【技術分野】
【０００１】
本発明は、移動局装置および上り回線送信電力制御方法に関し、特に、セル間を移動する際にソフトハンドオーバを実行する移動局装置および上り回線送信電力制御方法に関する。
【背景技術】
【０００２】
近年、Ｗ−ＣＤＭＡ（Wideband-Code Division Multiple Access）における上り回線のパケット通信を高速化する伝送規格として、ＨＳＵＰＡ（High Speed Uplink Packet Access）が検討されている。ＨＳＵＰＡにおいては、上り回線パケットを伝送する専用のチャネルとしてＥ−ＤＣＨ（Enhanced-Dedicated CHannel）が設けられる。
【０００３】
移動局装置は、このＥ−ＤＣＨにて基地局装置へパケットを送信するが、一般に、移動局装置と基地局装置の距離に応じて移動局装置のパケット送信に適正な送信電力が異なるため、Ｅ−ＤＣＨにおいても従来の上り回線と同様に送信電力制御（ＴＰＣ：Transmission Power Control）が行われる。送信電力制御方法の一例としては、例えばクローズドループ型の送信電力制御がある。上り回線におけるクローズドループ型の送信電力制御では、基地局装置は、移動局装置からの受信信号を用いて回線品質を測定し、測定された回線品質を目標とする回線品質と比較し、測定回線品質が目標回線品質に近づくように送信電力の増減を指示するＴＰＣコマンドを移動局装置へ送信する。そして、移動局装置は、基地局装置から送信されたＴＰＣコマンドに応じて送信電力を増減する。
【０００４】
ところで、移動局装置は、基地局装置がカバーするセル間を移動する際に、ソフトハンドオーバを行って複数の基地局装置と通信を行うことがある。すなわち、例えば図１４に示すように、移動局装置ＭがセルＣ１とセルＣ２との境界付近に位置する際、移動局装置Ｍは、セルＣ１をカバーする基地局装置Ｂ１およびセルＣ２をカバーする基地局装置Ｂ２の双方と通信する。このとき、上述したクローズドループ型の送信電力制御が行われていると、移動局装置Ｍは、基地局装置Ｂ１および基地局装置Ｂ２の双方からＴＰＣコマンドを受信することになる。このような場合、それぞれのセルにおける伝搬環境の差によって、基地局装置Ｂ１および基地局装置Ｂ２からそれぞれ送信されるＴＰＣコマンドの内容が相反することがある。
【０００５】
そこで、例えば特許文献１に開示された技術では、ソフトハンドオーバ中に複数の基地局装置からＴＰＣコマンドが送信された場合、少なくとも１つの基地局装置が送信電力の減少を指示すれば、移動局装置はその基地局装置のＴＰＣコマンドを選択して送信電力を減少させている。すなわち、上述した例では、図１５に示すように、基地局装置Ｂ１または基地局装置Ｂ２の少なくともいずれか一方が送信電力の減少を指示するＴＰＣコマンド「Ｄｏｗｎ」を送信した場合、移動局装置Ｍの送信電力が減少する。そして、基地局装置Ｂ１および基地局装置Ｂ２の双方が送信電力の増加を指示するＴＰＣコマンド「Ｕｐ」を送信した場合にのみ、移動局装置Ｍの送信電力が増加する。
【０００６】
このように、複数の基地局装置からＴＰＣコマンドが送信された場合、少なくとも１つの基地局装置から「Ｄｏｗｎ」が送信されれば、移動局装置がその基地局装置のＴＰＣコマンドを選択して送信電力を減少させる方式を、オアオブダウン（or of down）方式と呼ぶ。オアオブダウン方式によれば、移動局装置が通信相手のいずれかの基地局装置（すなわち「Ｄｏｗｎ」を送信した基地局装置）にとって過剰な送信電力を有しているにも拘わらず、さらに送信電力を増加させることがないため、システム全体における干渉の増大を防止することができるとともに、加入者容量を増加させることができる。
【０００７】
また、特許文献２においては、移動局装置が下り回線の回線品質を測定し、回線品質が劣悪な下り回線で伝送されたＴＰＣコマンドを無視した上でオアオブダウン方式を適用することが開示されている。
【特許文献１】特開平８−１８５０３号公報
【特許文献２】特開平９−３１２６０９号公報
【発明の開示】
【発明が解決しようとする課題】
【０００８】
しかしながら、上述した従来の技術においては、ソフトハンドオーバ中に伝送される複数のＴＰＣコマンドから、移動局装置が実際の送信電力制御の際に採用するＴＰＣコマンドを選択するのに、上り回線の伝搬環境が十分に考慮されていないという問題がある。すなわち、上記従来の技術においては、上り回線の回線品質のみが反映されたＴＰＣコマンドの内容やＴＰＣコマンドが伝送される下り回線の回線品質に基づいて、実際の送信電力制御に用いられるＴＰＣコマンドが選択される。
【０００９】
基地局装置が送信するＴＰＣコマンドは、上り回線の回線品質を測定して生成されるものの、測定回線品質と基地局装置によってあらかじめ保持されている所定の目標回線品質との比較結果を反映しているのみであって、上り回線のパケットの伝送品質を直接的に反映したものではない。したがって、ＴＰＣコマンドの内容に基づくオアオブダウン方式のみでは、必ずしも上り回線のパケットの伝送品質が改善されるとは限らない。
【００１０】
本発明はかかる点に鑑みてなされたものであり、上り回線のパケットの伝送品質をより確実に改善するＴＰＣコマンドを選択することができ、結果として、上り回線における再送を低減してセクタースループットを向上させることができる移動局装置および上り回線送信電力制御方法を提供することを目的とする。
【課題を解決するための手段】
【００１１】
本発明に係る移動局装置は、上り回線の信号に対する受信確認応答および送信電力制御コマンドを複数の基地局装置から受信する受信手段と、受信された複数の受信確認応答を用いて、受信された複数の送信電力制御コマンドのうち優先度が最大の送信電力制御コマンドを選択する選択手段と、選択された送信電力制御コマンドに従って送信電力を制御する制御手段と、を有する構成を採る。
【００１２】
本発明に係る上り回線送信電力制御方法は、上り回線の信号に対する受信確認応答および送信電力制御コマンドを複数の基地局装置から受信するステップと、受信された複数の受信確認応答を用いて、受信された複数の送信電力制御コマンドのうち優先度が最大の送信電力制御コマンドを選択するステップと、選択された送信電力制御コマンドに従って送信電力を制御するステップと、を有するようにした。
【００１３】
これらによれば、複数の基地局装置からそれぞれ受信された受信確認応答を用いて、各基地局装置に対応するＴＰＣコマンドのうち優先度が最大のものを選択して送信電力制御を行う。このため、上り回線を伝送された信号が基地局装置によって誤りなく受信されたか否かの情報をＴＰＣコマンドの選択に反映して、上り回線のパケットの伝送品質をより確実に改善するＴＰＣコマンドを選択することができ、結果として、上り回線における再送を低減してセクタースループットを向上させることができる。
【発明の効果】
【００１４】
本発明によれば、上り回線のパケットの伝送品質をより確実に改善するＴＰＣコマンドを選択することができ、結果として、上り回線における再送を低減してセクタースループットを向上させることができる。
【発明を実施するための最良の形態】
【００１５】
本発明者らは、ＨＳＵＰＡにおける上り回線の再送制御として、ＨＳＤＰＡ（High Speed Downlink Packet Access）と同様にＨＡＲＱ（Hybrid Automatic Repeat reQuest：ハイブリッド自動再送制御）が有効であることに着目した。さらに、ＨＳＵＰＡにおけるＨＡＲＱでは、上り回線を伝送されたパケットの受信確認応答であるＡＣＫ／ＮＡＣＫを基地局装置が移動局装置へ返送することに着目した。
【００１６】
そして、本発明者らは、基地局装置が移動局装置へ返送するＡＣＫ／ＮＡＣＫは、直接的に上り回線のパケットの伝送品質の指標となることを見出すとともに、上り回線のパケットの伝送品質が良好である基地局装置からのＴＰＣコマンドに従った送信電力制御により、パケット再送の低減が可能であることを見出し、本発明をするに至った。
【００１７】
すなわち本発明の骨子は、上り回線のパケットに対して基地局装置から返送されるＡＣＫ／ＮＡＣＫを移動局装置が参照し、パケットが誤りなく受信されたことを示すＡＣＫを返送する基地局装置から送信されたＴＰＣコマンドを優先して、実際の上り回線における送信電力制御に採用することである。
【００１８】
以下、本発明の実施の形態について、図面を参照して詳細に説明する。
【００１９】
（実施の形態１）
図１は、本発明の実施の形態１に係る基地局装置の要部構成を示すブロック図である。同図に示すように、本実施の形態に係る基地局装置は、ＲＦ（Radio Frequency：無線周波数）受信部１００、復調部１１０、誤り訂正復号部１２０、回線品質測定部１３０、ＴＰＣコマンド生成部１４０、ＡＣＫ／ＮＡＣＫ生成部１５０、誤り訂正符号化部１６０、変調部１７０、およびＲＦ送信部１８０を有している。
【００２０】
ＲＦ受信部１００は、移動局装置から送信された上り回線のパケットをアンテナを介して受信し、受信パケットに対して所定の無線受信処理（ダウンコンバート、Ａ／Ｄ変換など）を施す。
【００２１】
復調部１１０は、受信パケットを復調し、誤り訂正復号部１２０および回線品質測定部１３０へ出力する。
【００２２】
誤り訂正復号部１２０は、復調後の受信パケットに対して、例えばＣＲＣ（Cyclic Redundancy Check：巡回冗長検査）符号などによる誤り検出・誤り訂正を行い、誤り訂正後の受信パケットから受信データを出力するとともに、誤り検出結果をＡＣＫ／ＮＡＣＫ生成部１５０へ出力する。
【００２３】
回線品質測定部１３０は、復調後の受信パケットを用いて、例えばＳＩＲ（Signal to Interference Ratio：信号対干渉比）などの上り回線の回線品質を測定する。
【００２４】
ＴＰＣコマンド生成部１４０は、回線品質測定部１３０によって測定された測定回線品質とあらかじめ保持している目標回線品質とを比較し、比較結果に応じたＴＰＣコマンドを生成する。具体的には、ＴＰＣコマンド生成部１４０は、測定回線品質が目標回線品質に満たなければ、送信電力の増加を指示するＴＰＣコマンド「Ｕｐ」を生成する一方、測定回線品質が目標回線品質を超過していれば、送信電力の減少を指示するＴＰＣコマンド「Ｄｏｗｎ」を生成する。
【００２５】
ＡＣＫ／ＮＡＣＫ生成部１５０は、誤り訂正復号部１２０から出力される誤り検出結果に応じて受信確認応答であるＡＣＫまたはＮＡＣＫを生成する。具体的には、ＡＣＫ／ＮＡＣＫ生成部１５０は、誤り検出の結果、受信データに誤りがなければＡＣＫを生成し、受信データに誤りがあればＮＡＣＫを生成する。
【００２６】
誤り訂正符号化部１６０は、送信データ、ＴＰＣコマンド、およびＡＣＫ／ＮＡＣＫがマッピングされて得られた送信信号に対して、例えばＣＲＣ符号などを用いて誤り訂正符号化する。
【００２７】
変調部１７０は、誤り訂正符号化後の送信信号を変調し、ＲＦ送信部１８０へ出力する。
【００２８】
ＲＦ送信部１８０は、送信信号に対して所定の無線送信処理（Ｄ／Ａ変換、アップコンバートなど）を施し、アンテナを介して移動局装置へ送信する。
【００２９】
図２は、実施の形態１に係る移動局装置の要部構成を示すブロック図である。同図に示すように、本実施の形態に係る移動局装置は、ＲＦ受信部２００、復調部２１０、誤り訂正復号部２２０、データ再送制御部２３０、ＴＰＣコマンド選択部２４０、送信データバッファ部２５０、誤り訂正符号化部２６０、変調部２７０、送信電力制御部２８０、およびＲＦ送信部２９０を有している。
【００３０】
ＲＦ受信部２００は、基地局装置から送信された信号をアンテナを介して受信し、受信信号に対して所定の無線受信処理（ダウンコンバート、Ａ／Ｄ変換など）を施す。なお、ＲＦ受信部２００は、移動局装置のソフトハンドオーバ中には、複数の基地局装置から送信された信号を受信する。
【００３１】
復調部２１０は、受信信号を復調し、誤り訂正復号部２２０およびＴＰＣコマンド選択部２４０へ出力する。なお、復調部２１０は、移動局装置のソフトハンドオーバ中には、複数の基地局装置それぞれに対応する基地局装置ごとの受信信号を誤り訂正復号部２２０およびＴＰＣコマンド選択部２４０へ出力する。
【００３２】
誤り訂正復号部２２０は、復調後の受信信号に対して、例えばＣＲＣ符号などによる誤り検出・誤り訂正を行い、誤り訂正後の受信信号から受信データを出力するともに、受信データ中に含まれるＡＣＫ／ＮＡＣＫをデータ再送制御部２３０およびＴＰＣコマンド選択部２４０へ出力する。なお、誤り訂正復号部２２０は、移動局装置のハンドオーバ中には、複数の基地局装置それぞれに対応する基地局装置ごとのＡＣＫ／ＮＡＣＫをデータ再送制御部２３０およびＴＰＣコマンド選択部２４０へ出力する。
【００３３】
データ再送制御部２３０は、誤り訂正復号部２２０から出力されるＡＣＫ／ＮＡＣＫに従って、パケットを再送するか否かを決定し、再送の有無を送信データバッファ部２５０へ通知する。具体的には、データ再送制御部２３０は、誤り訂正復号部２２０からＡＣＫが出力された場合は、移動局装置から送信したパケットが基地局装置へ誤らずに伝送されたものとして、次のパケットを送信する旨を送信データバッファ部２５０へ通知する。一方、誤り訂正復号部２２０からＮＡＣＫのみが出力された場合は、移動局装置から送信したパケットがすべての基地局装置へ誤って伝送されたものとして、このパケットを再送する旨を送信データバッファ部２５０へ通知する。
【００３４】
ＴＰＣコマンド選択部２４０は、受信信号に含まれるＴＰＣコマンドを抽出して、送信電力制御部２８０へ出力する。また、移動局装置のソフトハンドオーバ中、ＴＰＣコマンド選択部２４０は、複数の基地局装置から送信されるＴＰＣコマンドのうち、実際の送信電力制御を行う際に優先して採用すべき、優先度が最大のＴＰＣコマンドをＡＣＫ／ＮＡＣＫの情報に基づいて選択する。ＴＰＣコマンド選択部２４０の内部構成および動作は、後に詳述する。
【００３５】
送信データバッファ部２５０は、既に送信した送信データを一時的に記憶するとともに、送信データを誤り訂正符号化部２６０へ出力する。また、送信データバッファ部２５０は、データ再送制御部２３０から次のパケットを送信する旨が通知された場合は、記憶している送信データを破棄する一方、パケット再送の旨が通知された場合は、記憶している送信データを再度誤り訂正符号化部２６０へ出力する。
【００３６】
誤り訂正符号化部２６０は、送信データバッファ部２５０から出力された送信データに対して、例えばＣＲＣ符号などを用いて誤り訂正符号化する。なお、誤り訂正符号化部２６０は、パケット再送の場合は符号化率を変更するなどして、再送するパケットが伝送中に誤る可能性を低減するようにしても良い。
【００３７】
変調部２７０は、誤り訂正符号化後の送信データを変調し、ＲＦ送信部２９０へ出力する。なお、変調部２７０は、パケット再送の場合は変調方式を変更するなどして、再送するパケットが伝送中に誤る可能性を低減するようにしても良い。
【００３８】
送信電力制御部２８０は、ＴＰＣコマンド選択部２４０から出力される優先度が最大のＴＰＣコマンドの内容に応じて送信電力を決定し、送信データの送信電力を制御する。具体的には、送信電力制御部２８０は、ＴＰＣコマンドが「Ｕｐ」であった場合は現在の送信電力を増加させ、ＴＰＣコマンドが「Ｄｏｗｎ」であった場合は現在の送信電力を減少させる。また、送信電力制御部２８０は、ＴＰＣコマンド選択部２４０から複数の優先度が最大のＴＰＣコマンドが出力された場合、オアオブダウン方式によって送信電力を決定する。すなわち、送信電力制御部２８０は、複数のＴＰＣコマンドに１つでも「Ｄｏｗｎ」が含まれていた場合は現在の送信電力を減少させる。
【００３９】
ＲＦ送信部２９０は、送信電力が制御された送信データに対して所定の無線送信処理（Ｄ／Ａ変換、アップコンバートなど）を施し、パケット化した上でアンテナを介して基地局装置へ送信する。
【００４０】
次に、図３を参照して、本実施の形態に係る移動局装置のＴＰＣコマンド選択部２４０の内部構成について説明する。
【００４１】
図３に示すように、ＴＰＣコマンド選択部２４０は、ＡＣＫ／ＮＡＣＫ判定部２４２およびＴＰＣコマンド抽出部２４４を有している。これらのＡＣＫ／ＮＡＣＫ判定部２４２およびＴＰＣコマンド抽出部２４４は、主に移動局装置がソフトハンドオーバ中（すなわち、複数の基地局装置から信号を受信する場合）に動作する。
【００４２】
ＡＣＫ／ＮＡＣＫ判定部２４２は、誤り訂正復号部２２０から出力された基地局装置ごとのＡＣＫ／ＮＡＣＫについて、それぞれの基地局装置からＡＣＫが送信されたか、またはＮＡＣＫが送信されたかを判定する。このとき、ＡＣＫ／ＮＡＣＫ判定部２４２は、最も新しく受信されたＡＣＫ／ＮＡＣＫを判定する。このように、直近のＡＣＫ／ＮＡＣＫを判定することにより、例えばデータ再送制御と送信電力制御の処理のタイミングがずれているような場合でも、確実に最新の上り回線の伝搬環境の指標としてＡＣＫ／ＮＡＣＫを用いることができる。
【００４３】
そして、ＡＣＫ／ＮＡＣＫ判定部２４２は、ＡＣＫを送信した基地局装置については、上り回線におけるパケットの伝送品質が良好であると判断し、ＡＣＫを送信した基地局装置のＴＰＣコマンドを優先度が最大のＴＰＣコマンドとして、このＴＰＣコマンドの抽出をＴＰＣコマンド抽出部２４４に指示する。
【００４４】
ＴＰＣコマンド抽出部２４４は、基地局装置ごとの受信信号に含まれるＴＰＣコマンドのうち、抽出を指示された基地局装置のＴＰＣコマンドを抽出して、送信電力制御部２８０へ出力する。
【００４５】
次いで、上述のように構成された移動局装置のソフトハンドオーバ中におけるＴＰＣコマンド選択動作について、図４および図５を参照して具体的に説明する。
【００４６】
まず、基地局装置から移動局装置へＴＰＣコマンドおよびＡＣＫ／ＮＡＣＫが送信されるまでの動作について説明する。
【００４７】
図１に示した基地局装置において、移動局装置から送信されたパケットがＲＦ受信部１００によって受信されると、所定の無線受信処理が行われた後、復調部１１０によって復調される。復調された受信パケットは、誤り訂正復号部１２０によって誤り検出・誤り訂正され、受信データが出力されるとともに、誤り検出結果がＡＣＫ／ＮＡＣＫ生成部１５０へ出力される。そして、ＡＣＫ／ＮＡＣＫ生成部１５０によって、受信パケットに誤りがなければＡＣＫが生成され、受信パケットに誤りがあればＮＡＣＫが生成される。生成されたＡＣＫ／ＮＡＣＫは、誤り訂正符号化部１６０へ出力される。
【００４８】
一方、回線品質測定部１３０によって、復調された受信パケットから上り回線の回線品質が測定される。測定された測定回線品質は、ＴＰＣコマンド生成部１４０によって所定の目標回線品質と比較され、測定回線品質の方が小さければＴＰＣコマンド「Ｕｐ」が生成され、測定回線品質の方が大きければＴＰＣコマンド「Ｄｏｗｎ」が生成される。生成されたＴＰＣコマンドは、誤り訂正符号化部１６０へ出力される。
【００４９】
そして、送信データ、ＡＣＫ／ＮＡＣＫ、およびＴＰＣコマンドからなる送信信号は、誤り訂正符号化部１６０によって誤り訂正符号化が施され、変調部１７０によって変調され、ＲＦ送信部１８０によって所定の無線送信処理が行われた上で、アンテナを介して移動局装置へ送信される。
【００５０】
ここでは、移動局装置がソフトハンドオーバ中であるため、１つの移動局装置から送信されたパケットが複数の基地局装置によって受信される。そこで、以下の説明においては、ソフトハンドオーバ中の移動局装置が、例えば基地局装置＃１、基地局装置＃２、および基地局装置＃３の３つの基地局装置と通信を行っているものとする。これらの基地局装置＃１〜＃３は、上述の動作によってそれぞれＡＣＫ／ＮＡＣＫおよびＴＰＣコマンドを生成し、移動局装置へ送信する。このとき、移動局装置と基地局装置＃１〜＃３との間の上り回線の伝搬環境は、基地局装置ごとに異なっているため、基地局装置＃１〜＃３が同一のＡＣＫ／ＮＡＣＫおよびＴＰＣコマンドを送信するとは限らない。
【００５１】
次に、このような状況の下で、移動局装置がＴＰＣコマンドを選択して送信電力制御を行う動作について説明する。
【００５２】
基地局装置＃１〜＃３によって送信された信号は、図２に示す移動局装置によって受信される。具体的には、ＲＦ受信部２００によって信号が受信されると、所定の無線受信処理が行われた後、復調部２１０によって、それぞれの基地局装置＃１〜＃３に対応する受信信号が復調される。復調された基地局装置ごとの受信信号は、誤り訂正復号部２２０およびＴＰＣコマンド選択部２４０のＴＰＣコマンド抽出部２４４（図３）へ出力される。
【００５３】
復調された基地局装置ごとの受信信号は、誤り訂正復号部２２０によって誤り検出・誤り訂正され、受信データが出力されるとともに、基地局装置ごとのＡＣＫまたはＮＡＣＫがデータ再送制御部２３０およびＴＰＣコマンド選択部２４０のＡＣＫ／ＮＡＣＫ判定部２４２へ出力される。そして、データ再送制御部２３０によって、基地局装置＃１〜＃３すべての基地局装置からＮＡＣＫが送信されている場合は、パケットを再送する旨が送信データバッファ部２５０へ通知され、いずれか１つの基地局装置からでもＡＣＫが送信されている場合は、次のパケットを送信する旨が送信データバッファ部２５０へ通知される。
【００５４】
一方、ＴＰＣコマンド選択部２４０においては、図４に示すフローに従って、実際の送信電力制御に採用されるＴＰＣコマンドが選択される。
【００５５】
すなわち、まず、ＡＣＫ／ＮＡＣＫ判定部２４２によって、基地局装置＃１〜＃３のそれぞれからＡＣＫまたはＮＡＣＫのどちらが送信されたかが判定される（ＳＴ１０００）。このとき、ＡＣＫ／ＮＡＣＫ判定部２４２によって判定されるＡＣＫ／ＮＡＣＫは、最も新しく受信された基地局装置ごとのＡＣＫ／ＮＡＣＫである。つまり、例えば送信時間間隔（ＴＴＩ：Transmission Time Interval）ごとのＡＣＫ／ＮＡＣＫの履歴が図５に示すもののような場合、ＡＣＫ／ＮＡＣＫ判定部２４２は、破線３００で囲まれた直近のＴＴＩ＃０に対するＡＣＫまたはＮＡＣＫを対象にして判定を行う。これにより、常に最新の上り回線の状態を反映したＡＣＫ／ＮＡＣＫをＴＰＣコマンドの選択に用いることができる。
【００５６】
図５において、ＡＣＫを送信した基地局装置＃１および基地局装置＃３に関しては、基地局装置＃２よりも上り回線の伝搬環境が良好で、移動局装置から送信されたパケットが誤りなく伝送されると判断される。したがって、このような基地局装置からのＴＰＣコマンドに従って送信電力制御を行うことにより、上り回線のパケットの伝送品質が良好に保たれ、再送が発生する回数を低減することができると考えられる。
【００５７】
そこで、ＡＣＫ／ＮＡＣＫ判定部２４２によって、基地局装置＃１〜＃３のうち、ＡＣＫを送信した基地局装置＃１および基地局装置＃３からのＴＰＣコマンドの優先度が最大であると決定される。さらに、ＡＣＫ／ＮＡＣＫ判定部２４２によって、これらの基地局装置から送信されたＴＰＣコマンドを抽出する旨の指示がＴＰＣコマンド抽出部２４４へ通知される。そして、ＴＰＣコマンド抽出部２４４によって、基地局装置＃１および基地局装置＃３のＴＰＣコマンドが抽出され（ＳＴ１１００）、送信電力制御部２８０へ出力される。
【００５８】
そして、送信電力制御部２８０によって、優先度が最大のＴＰＣコマンドが１つのみ抽出されたか否かが判定される（ＳＴ１２００）。この結果、抽出されたＴＰＣコマンドが１つである場合、換言すれば、１つの基地局装置のみからＡＣＫが送信された場合は、この基地局装置のＴＰＣコマンドに従って送信電力制御が行われる（ＳＴ１３００）。
【００５９】
一方、図５に示したように、基地局装置＃１および基地局装置＃３の２つの基地局装置からＡＣＫが送信され、対応する２つのＴＰＣコマンドが抽出された場合は、これらの基地局装置のＴＰＣコマンドについてオアオブダウン方式が適用される（ＳＴ１４００）。すなわち、基地局装置＃１または基地局装置＃３のいずれか一方でもＴＰＣコマンドとして「Ｄｏｗｎ」を送信していれば、送信電力制御部２８０は現在の送信電力を減少させる。また、基地局装置＃１および基地局装置＃３の双方がＴＰＣコマンドとして「Ｕｐ」を送信していれば、送信電力制御部２８０は現在の送信電力を増加させる。
【００６０】
そして、送信データバッファ部２５０、誤り訂正符号化部２６０、および変調部２７０を経た送信データまたは再送データは、上述のように制御された送信電力で、ＲＦ送信部２９０から、パケット化された上でアンテナを介して送信される。
【００６１】
以上のように、本実施の形態によれば、複数の基地局装置それぞれから送信された直近のＡＣＫ／ＮＡＣＫを判定し、ＡＣＫを送信した基地局装置から送信されたＴＰＣコマンドの優先度を最大にして、移動局装置が実際の送信電力制御を行うため、最新の上り回線の伝搬環境を反映して、上り回線のパケットの伝送品質をより確実に改善するＴＰＣコマンドを選択することができ、結果として、上り回線における再送を低減してセクタースループットを向上させることができる。
【００６２】
（実施の形態２）
本発明の実施の形態２の特徴は、所定の時間内に送信したＡＣＫの数を基地局装置の得点とし、最も多くのＡＣＫを送信した基地局装置からのＴＰＣコマンドの優先度を最大にして、移動局装置が送信電力制御を行う点である。
【００６３】
本実施の形態に係る基地局装置の構成は、実施の形態１に係る基地局装置（図１）と同様であるため、その説明を省略する。また、本実施の形態に係る移動局装置の構成は、実施の形態１に係る移動局装置（図２）と同様であるが、ＴＰＣコマンド選択部２４０の内部構成のみが実施の形態１とは異なっている。
【００６４】
そこで、図６を参照して、本実施の形態に係る移動局装置のＴＰＣコマンド選択部２４０の内部構成について説明する。なお、図６において、図３と同じ部分には同じ符号を付し、その説明を省略する。
【００６５】
図６に示すように、本実施の形態に係るＴＰＣコマンド選択部２４０は、バッファ部４０２、ＡＣＫ計数部４０４、およびＴＰＣコマンド抽出部２４４を有している。これらのバッファ部４０２、ＡＣＫ計数部４０４、およびＴＰＣコマンド抽出部２４４は、主に移動局装置がソフトハンドオーバ中に動作する。
【００６６】
バッファ部４０２は、誤り訂正復号部２２０から出力された基地局装置ごとのＡＣＫ／ＮＡＣＫを一時的に記憶する。このとき、バッファ部４０２は、基地局装置ごとかつＴＴＩごとにＡＣＫまたはＮＡＣＫのどちらが返送されてきたかを記憶する。
【００６７】
ＡＣＫ計数部４０４は、フェージング変動の速さの指標となる最大ドップラー周波数に応じてＡＣＫを計数する対象のＴＴＩ区間（ＴＴＩの数）を設定し、このＴＴＩ区間に対応するＡＣＫの数を計数する。
【００６８】
具体的には、ＡＣＫ計数部４０４は、最大ドップラー周波数が大きくフェージング変動が速い場合は、伝搬環境が短期間で変化すると考えられるため、最新のＴＴＩから比較的新しいＴＴＩまでをＴＴＩ区間として設定する。一方、ＡＣＫ計数部４０４は、最大ドップラー周波数が小さくフェージング変動が遅い場合は、伝搬環境が長時間にわたってあまり変化しないと考えられるため、最新のＴＴＩから比較的古いＴＴＩまでをＴＴＩ区間として設定する。
【００６９】
そして、ＡＣＫ計数部４０４は、ＴＴＩ区間において最も多くＡＣＫを送信した基地局装置については、上り回線におけるパケットの伝送品質が安定して良好であると判断し、ＡＣＫ数が最大の基地局装置のＴＰＣコマンドを優先度が最大のＴＰＣコマンドとして、このＴＰＣコマンドの抽出をＴＰＣコマンド抽出部２４４に指示する。
【００７０】
次いで、上述のように構成された移動局装置のソフトハンドオーバ中におけるＴＰＣコマンド選択動作について、図７および図８を参照して具体的に説明する。なお、本実施の形態において、基地局装置から移動局装置へＴＰＣコマンドおよびＡＣＫ／ＮＡＣＫが送信されるまでの動作、ならびに移動局装置によって受信信号の復調・誤り訂正が行われるまでの動作は、実施の形態１と同様であるため、その説明を省略する。
【００７１】
したがって、以下では、主に、移動局装置のＴＰＣコマンド選択部２４０におけるＴＰＣコマンド選択動作について説明する。
【００７２】
本実施の形態においては、誤り訂正復号部２２０によって、基地局装置ごとのＡＣＫ／ＮＡＣＫがＴＰＣコマンド選択部２４０のバッファ部４０２へ出力される。これらのＡＣＫ／ＮＡＣＫは、履歴としてバッファ部４０２によって記憶される。具体的には、例えば図８に示すように、基地局装置＃１〜＃３それぞれのＴＴＩごとのＡＣＫ／ＮＡＣＫが記憶される。
【００７３】
そして、ＴＰＣコマンド選択部２４０においては、図７に示すフローに従って、実際の送信電力制御に採用されるＴＰＣコマンドが選択される。
【００７４】
すなわち、まず、ＡＣＫ計数部４０４によって、最大ドップラー周波数に応じたＴＴＩ区間が設定される（ＳＴ２０００）。本実施の形態におけるＴＴＩ区間は、ＡＣＫを計数する対象のＴＴＩの数であり、伝搬環境が頻繁に変化する場合は比較的新しいＴＴＩのみを対象とし、伝搬環境があまり変化しない場合は比較的古いＴＴＩまでを対象とするように設定される。したがって、最大ドップラー周波数が大きい場合は、比較的短いＴＴＩ区間が設定され、最大ドップラー周波数が小さい場合は、比較的長いＴＴＩ区間が設定される。
【００７５】
そして、ＡＣＫ計数部４０４によって、ＴＴＩ区間における基地局装置ごとのＡＣＫの数が計数され（ＳＴ２１００）、すべての基地局装置に関してＡＣＫの計数が終了するまで繰り返される（ＳＴ２２００）。図８に示す例では、破線によって囲まれるＴＴＩ＃０〜＃３の４つのＴＴＩがＴＴＩ区間５００に設定され、まず基地局装置＃１のＡＣＫが計数されて３という結果が得られ、次に基地局装置＃２のＡＣＫが計数されて１が得られ、最後に基地局装置＃３のＡＣＫが計数されて２が得られる。これらのＡＣＫの数は、それぞれの基地局装置の得点となる。
【００７６】
図８において、得点が高い（すなわち、ＴＴＩ区間５００におけるＡＣＫの送信回数が最も多い）基地局装置＃１に関しては、他の基地局装置＃２、＃３よりも上り回線の伝搬環境が安定して良好で、移動局装置から送信されたパケットが誤りなく伝送されると判断される。したがって、このような基地局装置からのＴＰＣコマンドに従って送信電力制御を行うことにより、上り回線のパケットの伝送品質が良好に保たれ、再送が発生する回数を低減することができると考えられる。
【００７７】
そこで、ＡＣＫ計数部４０４によって、基地局装置＃１〜＃３のうち、ＴＴＩ区間５００にＡＣＫを最も多く送信した基地局装置＃１からのＴＰＣコマンドの優先度が最大であると決定される。さらに、ＡＣＫ計数部４０４によって、基地局装置＃１から送信されたＴＰＣコマンドを抽出する旨の指示がＴＰＣコマンド抽出部２４４へ通知される。そして、ＴＰＣコマンド抽出部２４４によって、基地局装置＃１のＴＰＣコマンドが抽出され（ＳＴ２３００）、送信電力制御部２８０へ出力される。
【００７８】
そして、送信電力制御部２８０によって、優先度が最大のＴＰＣコマンドが１つのみ抽出されたか否かが判定される（ＳＴ２４００）。この結果、図８に示したように、最も多くのＡＣＫを送信した基地局装置が基地局装置＃１のみである場合（すなわち、優先度が最大のＴＰＣコマンドが１つのみ抽出された場合）は、対応する１つのＴＰＣコマンドが採用されて送信電力制御が行われる（ＳＴ２５００）。
【００７９】
一方、優先度が最大のＴＰＣコマンドが２つ以上である場合、換言すれば、複数の基地局装置から最多かつ同数のＡＣＫが送信された場合は、これらの基地局装置のＴＰＣコマンドについてオアオブダウン方式が適用される（ＳＴ２６００）。すなわち、いずれか１つの基地局装置でもＴＰＣコマンドとして「Ｄｏｗｎ」を送信していれば、送信電力制御部２８０は現在の送信電力を減少させる。また、すべての基地局装置がＴＰＣコマンドとして「Ｕｐ」を送信していれば、送信電力制御部２８０は現在の送信電力を増加させる。
【００８０】
そして、送信データバッファ部２５０、誤り訂正符号化部２６０、および変調部２７０を経た送信データまたは再送データは、上述のように制御された送信電力で、ＲＦ送信部２９０から、パケット化された上でアンテナを介して送信される。
【００８１】
以上のように、本実施の形態によれば、最大ドップラー周波数に応じて設定されたＴＴＩ区間のパケットに対し、最も多くのＡＣＫを送信した基地局装置から送信されたＴＰＣコマンドの優先度を最大にするため、ＴＰＣコマンドの選択において、上り回線の伝搬環境が安定して良好であるか否かを反映させることができる。
【００８２】
なお、本実施の形態においては、単純にＡＣＫを計数するものとしたが、初めて送信されたパケットに対するＡＣＫのみを計数するようにしても良い。同じＡＣＫでも、ＮＡＣＫが送信された直後のＡＣＫは、再送されたパケットに対するＡＣＫであることを意味しており、再送が発生しているということは上り回線の伝送品質が良好ではないことになる。したがって、２回以上連続して送信されたＡＣＫは、初回送信のパケットに対するＡＣＫであると判断され、このようなＡＣＫのみを計数することにより、さらに正確に上り回線の伝搬環境を反映することができる。
【００８３】
同様に考えて、例えば、初回送信のパケットに対するＡＣＫを１回と計数するのに対し、再送のパケットに対するＡＣＫを０．５回と計数するようにして、再送回数に応じた重み付けを行ってＡＣＫを計数しても良い。
【００８４】
また、本実施の形態においては、ＴＴＩ区間において新しいＴＴＩに対するＡＣＫほど重みを高くするようにしても良い。すなわち、例えば、直近のＴＴＩに対するＡＣＫを１回と計数するのに対し、１つ前のＴＴＩに対するＡＣＫを０．５回と計数するようにして、対応するＴＴＩの新旧に応じた重み付けを行ってＡＣＫを計数しても良い。
【００８５】
（実施の形態３）
本発明の実施の形態３の特徴は、所定の時間内におけるＡＣＫおよびＮＡＣＫに数値を割り当てて点数化し、点数の加算平均を基地局装置の得点とし、得点が最も高い基地局装置からのＴＰＣコマンドの優先度を最大にして、移動局装置が送信電力制御を行う点である。
【００８６】
本実施の形態に係る基地局装置の構成は、実施の形態１に係る基地局装置（図１）と同様であるため、その説明を省略する。また、本実施の形態に係る移動局装置の構成は、実施の形態１に係る移動局装置（図２）と同様であるが、ＴＰＣコマンド選択部２４０の内部構成のみが実施の形態１とは異なっている。
【００８７】
そこで、図９を参照して、本実施の形態に係る移動局装置のＴＰＣコマンド選択部２４０の内部構成について説明する。なお、図９において、図３および図６と同じ部分には同じ符号を付し、その説明を省略する。
【００８８】
図９に示すように、本実施の形態に係るＴＰＣコマンド選択部２４０は、バッファ部４０２、点数化部６０２、加算平均算出部６０４、およびＴＰＣコマンド抽出部２４４を有している。これらのバッファ部４０２、点数化部６０２、加算平均算出部６０４、およびＴＰＣコマンド抽出部２４４は、主に移動局装置がソフトハンドオーバ中に動作する。
【００８９】
点数化部６０２は、最大ドップラー周波数に応じてＡＣＫ／ＮＡＣＫを点数化する対象のＴＴＩ区間を設定し、このＴＴＩ区間における基地局措置ごとのＡＣＫ／ＮＡＣＫに点数を付与する。
【００９０】
具体的には、点数化部６０２は、最大ドップラー周波数が大きい場合は、最新のＴＴＩから比較的新しいＴＴＩまでをＴＴＩ区間として設定する一方、最大ドップラー周波数が小さい場合は、最新のＴＴＩから比較的古いＴＴＩまでをＴＴＩ区間として設定する。
【００９１】
そして、点数化部６０２は、基地局装置ごとに、例えばＴＴＩ区間におけるＡＣＫには１点、ＮＡＣＫには０点などのように数値化して点数を付与し、基地局装置ごとの点数を加算平均算出部６０４へ出力する。
【００９２】
加算平均算出部６０４は、基地局装置ごとの点数の加算平均を算出し、加算平均が最も高い基地局装置については、上り回線におけるパケットの伝送品質が安定して良好であると判断し、加算平均が最大の基地局装置のＴＰＣコマンドを優先度が最大のＴＰＣコマンドとして、このＴＰＣコマンドの抽出をＴＰＣコマンド抽出部２４４に指示する。
【００９３】
次いで、上述のように構成された移動局装置のソフトハンドオーバ中におけるＴＰＣコマンド選択動作について、図１０および図１１を参照して具体的に説明する。なお、本実施の形態において、基地局装置から移動局装置へＴＰＣコマンドおよびＡＣＫ／ＮＡＣＫが送信されるまでの動作、ならびに移動局装置によって受信信号の復調・誤り訂正が行われるまでの動作は、実施の形態１と同様であるため、その説明を省略する。
【００９４】
したがって、以下では、主に、移動局装置のＴＰＣコマンド選択部２４０におけるＴＰＣコマンド選択動作について説明する。
【００９５】
本実施の形態においては、実施の形態２と同様に、基地局装置ごとのＡＣＫ／ＮＡＣＫが誤り訂正復号部２２０からバッファ部４０２へ出力される。これらのＡＣＫ／ＮＡＣＫは、履歴としてバッファ部４０２によって記憶される。具体的には、例えば図１１に示すように、基地局装置＃１〜＃３それぞれのＴＴＩごとのＡＣＫ／ＮＡＣＫが記憶される。
【００９６】
そして、ＴＰＣコマンド選択部２４０においては、図１０に示すフローに従って、実際の送信電力制御に採用されるＴＰＣコマンドが選択される。
【００９７】
すなわち、まず、点数化部６０２によって、最大ドップラー周波数に応じたＴＴＩ区間が設定される（ＳＴ３０００）。本実施の形態におけるＴＴＩ区間は、ＡＣＫ／ＮＡＣＫを点数化する対象のＴＴＩの数であり、伝搬環境が頻繁に変化する場合は比較的新しいＴＴＩのみを対象とし、伝搬環境があまり変化しない場合は比較的古いＴＴＩまでを対象とするように設定される。したがって、最大ドップラー周波数が大きい場合は、比較的短いＴＴＩ区間が設定され、最大ドップラー周波数が小さい場合は、比較的長いＴＴＩ区間が設定される。
【００９８】
そして、点数化部６０２によって、ＴＴＩ区間における基地局装置ごとのＡＣＫ／ＮＡＣＫが点数化される（ＳＴ３１００）。ここでは、例えばＡＣＫが１点、ＮＡＣＫが０点として点数化されるものとする。基地局装置ごとの点数は、加算平均算出部６０４へ出力され、加算平均算出部６０４によって、基地局装置ごとの点数の加算平均が算出され（ＳＴ３２００）、すべての基地局装置に関して点数の加算平均が算出されるまで処理が繰り返される（ＳＴ３３００）。図１１に示す例では、破線によって囲まれるＴＴＩ＃０〜＃３の４つのＴＴＩがＴＴＩ区間７００に設定され、まず基地局装置＃１の加算平均が０．７５（＝３／４）と算出され、次に基地局装置＃２の加算平均が０．２５（＝１／４）と算出され、最後に基地局装置＃３の加算平均が０．５（＝２／４）と算出される。これらの点数の加算平均は、それぞれの基地局装置の得点となる。
【００９９】
なお、ここでは、基地局装置＃１〜＃３すべてのＴＴＩ区間を４としたため、加算平均を算出する際の分母がすべての基地局装置＃１〜＃３で等しいが、最大ドップラー周波数に応じて各基地局装置におけるＴＴＩ区間が異なる場合は、加算平均算出の分母も異なる。このようにＴＴＩ区間が基地局装置によって異なる場合は、ＴＴＩ区間のＡＣＫの数のみでは上り回線の伝送品質の比較はできないが、本実施の形態によれば、単純に基地局装置＃１〜＃３の得点を比較することで、上り回線の伝送品質を比較することができる。
【０１００】
図１１において、得点が高い（すなわち、ＴＴＩ区間における点数の加算平均が最も高い）基地局装置＃１に関しては、他の基地局装置＃２、＃３よりも上り回線の伝搬環境が安定して良好で、移動局装置から送信されたパケットが誤りなく伝送されると判断される。したがって、このような基地局装置からのＴＰＣコマンドに従って送信電力制御を行うことにより、上り回線のパケットの伝送品質が良好に保たれ、再送が発生する回数を低減することができると考えられる。
【０１０１】
そこで、加算平均算出部６０４によって、基地局装置＃１〜＃３のうち、ＴＴＩ区間７００における点数の加算平均が最も高い基地局装置＃１からのＴＰＣコマンドの優先度が最大であると決定される。さらに、加算平均算出部６０４によって、基地局装置＃１から送信されたＴＰＣコマンドを抽出する旨がＴＰＣコマンド抽出部２４４へ通知される。そして、ＴＰＣコマンド抽出部２４４によって、基地局装置＃１のＴＰＣコマンドが抽出され（ＳＴ３４００）、送信電力制御部２８０へ出力される。
【０１０２】
そして、送信電力制御部２８０によって、優先度が最大のＴＰＣコマンドが１つのみ抽出されたか否かが判定される（ＳＴ３５００）。この結果、図１１に示したように、点数の加算平均が最大の基地局装置が基地局装置＃１のみである場合（すなわち、優先度が最大のＴＰＣコマンドが１つのみ抽出された場合）は、対応する１つのＴＰＣコマンドが採用されて送信電力制御が行われる（ＳＴ３６００）。
【０１０３】
一方、優先度が最大のＴＰＣコマンドが２つ以上である場合、換言すれば、複数の基地局装置の点数の加算平均が最大かつ等しい場合は、これらの基地局装置のＴＰＣコマンドについてオアオブダウン方式が適用される（ＳＴ３７００）。すなわち、いずれか１つの基地局装置でもＴＰＣコマンドとして「Ｄｏｗｎ」を送信していれば、送信電力制御部２８０は現在の送信電力を減少させる。また、すべての基地局装置がＴＰＣコマンドとして「Ｕｐ」を送信していれば、送信電力制御部２８０は現在の送信電力を増加させる。
【０１０４】
そして、送信データバッファ部２５０、誤り訂正符号化部２６０、および変調部２７０を経た送信データまたは再送データは、上述のように制御された送信電力で、ＲＦ送信部２９０から、パケット化された上でアンテナを介して送信される。
【０１０５】
以上のように、本実施の形態によれば、最大ドップラー周波数に応じて設定されたＴＴＩ区間のパケットに対するＡＣＫ／ＮＡＣＫに点数を付与し、点数の加算平均が最大である基地局装置から送信されたＴＰＣコマンドの優先度を最大にするため、ＴＰＣコマンドの選択において、上り回線の伝搬環境が安定して良好であるか否かを反映させることができる。
【０１０６】
なお、本実施の形態においては、算出された基地局装置ごとの加算平均を所定の閾値と比較し、加算平均が所定の閾値以上である基地局装置に対してオアオブダウン方式を適用するようにしても良い。本実施の形態においては、ＴＴＩ区間におけるＡＣＫ／ＮＡＣＫに点数を付与することにより、実施の形態２とは異なり、ＴＴＩ区間におけるＡＣＫとＮＡＣＫの割合まで考慮したことになる。このため、点数の加算平均に対して閾値判定を行うことにより、ＡＣＫとＮＡＣＫの割合に絶対的な基準を設けて、上り回線の伝送品質が劣悪な基地局装置を確実に排除することができる。したがって、閾値判定を行うことにより、基地局装置間の相対的な比較のみではなく、絶対的な上り回線の伝送品質の良否を反映することができる。
【０１０７】
（実施の形態４）
本発明の実施の形態４の特徴は、過去に算出された基地局装置ごとの得点に忘却係数を乗じた上で、新たに基地局装置から送信されたＡＣＫおよびＮＡＣＫに数値を割り当てた点数を加算した結果を基地局装置の得点とし、得点が最も高い基地局装置からのＴＰＣコマンドの優先度を最大にして、移動局装置が送信電力制御を行う点である。
【０１０８】
本実施の形態に係る基地局装置の構成は、実施の形態１に係る基地局装置（図１）と同様であるため、その説明を省略する。また、本実施の形態に係る移動局装置の構成は、実施の形態１に係る移動局装置（図２）と同様であるが、ＴＰＣコマンド選択部２４０の内部構成のみが実施の形態１とは異なっている。
【０１０９】
そこで、図１２を参照して、本実施の形態に係る移動局装置のＴＰＣコマンド選択部２４０の内部構成について説明する。なお、図１２において、図３および図６と同じ部分には同じ符号を付し、その説明を省略する。
【０１１０】
図１２に示すように、本実施の形態に係るＴＰＣコマンド選択部２４０は、バッファ部４０２、重み付け点数化部８０２、およびＴＰＣコマンド抽出部２４４を有している。これらのバッファ部４０２、重み付け点数化部８０２、およびＴＰＣコマンド抽出部２４４は、主に移動局装置がソフトハンドオーバ中に動作する。
【０１１１】
重み付け点数化部８０２は、前回算出された得点に対する忘却係数を最大ドップラー周波数に応じて決定し、新たなＡＣＫまたはＮＡＣＫに付与される点数を忘却係数が乗じられた前回の得点に加算して今回の得点を算出する。
【０１１２】
具体的には、重み付け点数化部８０２は、最大ドップラー周波数が大きい場合は、前回の得点の重みが比較的小さくなる忘却係数を前回の得点に乗算する一方、最大ドップラー周波数が小さい場合は、前回の得点の重みが比較的大きくなる忘却係数を前回の得点に乗算する。
【０１１３】
そして、重み付け点数化部８０２は、忘却係数が乗算された前回の得点に、前回の得点算出以後に基地局装置から送信されたＡＣＫ／ＮＡＣＫに対応する点数（例えばＡＣＫは１点、ＮＡＣＫは０点）を加算して今回の得点を算出する。さらに、重み付け点数化部８０２は、算出された今回の得点が最も高い基地局装置については、上り回線におけるパケットの伝送品質が安定して良好であると判断し、今回の得点が最大の基地局装置のＴＰＣコマンドを優先度が最大のＴＰＣコマンドとして、このＴＰＣコマンドの抽出をＴＰＣコマンド抽出部２４４に指示する。
【０１１４】
次いで、上述のように構成された移動局装置のソフトハンドオーバ中におけるＴＰＣコマンド選択動作について、図１３を参照して説明する。なお、本実施の形態において、基地局装置から移動局装置へＴＰＣコマンドおよびＡＣＫ／ＮＡＣＫが送信されるまでの動作、ならびに移動局装置によって受信信号の復調・誤り訂正が行われるまでの動作は、実施の形態１と同様であるため、その説明を省略する。
【０１１５】
したがって、以下では、主に、移動局装置のＴＰＣコマンド選択部２４０におけるＴＰＣコマンド選択動作について説明する。
【０１１６】
本実施の形態においては、実施の形態２と同様に、基地局装置ごとのＡＣＫ／ＮＡＣＫが誤り訂正復号部２２０からバッファ部４０２へ出力される。これらのＡＣＫ／ＮＡＣＫは、履歴としてバッファ部４０２によって記憶される。
【０１１７】
そして、ＴＰＣコマンド選択部２４０においては、図１３に示すフローに従って、実際の送信電力制御に採用されるＴＰＣコマンドが選択される。
【０１１８】
すなわち、まず、重み付け点数化部８０２によって、基地局装置ごとの重み付けされた得点が算出される（ＳＴ４０００）。具体的には、まず、重み付け点数化部８０２によって、最大ドップラー周波数に応じた忘却係数が決定され、前回算出された得点に忘却係数が乗算される。忘却係数は、伝搬環境が頻繁に変化する場合は前回の得点の重みを比較的小さくする値に決定され、伝搬環境があまり変化しない場合は前回の得点の重みを比較的大きくする値に決定される。したがって、最大ドップラー周波数が大きい場合は、比較的小さい忘却係数が決定され、最大ドップラー周波数が小さい場合は、比較的大きい忘却係数が決定される。
【０１１９】
そして、重み付け点数化部８０２によってバッファ部４０２が参照されることにより、前回の得点算出以後に基地局装置から送信された新たなＡＣＫ／ＮＡＣＫに点数が付与される。ＡＣＫ／ＮＡＣＫに対する点数の付与は、例えばＡＣＫを１点、ＮＡＣＫを０点とするように数値化して行われる。さらに、重み付け点数化部８０２によって、忘却係数を乗算後の前回の得点に新たなＡＣＫ／ＮＡＣＫの点数が加算され、今回の得点が算出される。なお、重み付け点数化部８０２は、初回の得点算出時には、忘却係数を０として前回の得点は考慮しない。このように、重み付け点数化部８０２によって、基地局装置ごとの時間的な重み付けが施された得点が算出され、すべての基地局装置に関して今回の得点が算出されるまで処理が繰り返される（ＳＴ４１００）。
【０１２０】
このように算出された今回の得点が最も高い基地局装置に関しては、前回の点数化までの状況を考慮に入れても上り回線の伝搬環境が良好で、移動局装置から送信されたパケットが誤りなく伝送されると判断される。したがって、このような基地局装置からのＴＰＣコマンドに従って送信電力制御を行うことにより、上り回線のパケットの伝送品質が良好に保たれ、再送が発生する回数を低減することができると考えられる。
【０１２１】
そこで、重み付け点数化部８０２によって、今回の得点が最も高い基地局装置からのＴＰＣコマンドの優先度が最大であると決定される。さらに、重み付け点数化部８０２によって、優先度が最大のＴＰＣコマンドを抽出する旨の指示がＴＰＣコマンド抽出部２４４へ通知される。そして、ＴＰＣコマンド抽出部２４４によって、重み付け点数化部８０２から通知されたＴＰＣコマンドが抽出され（ＳＴ４２００）、送信電力制御部２８０へ出力される。
【０１２２】
そして、送信電力制御部２８０によって、優先度が最大のＴＰＣコマンドが１つのみ抽出されたか否かが判定される（ＳＴ４３００）。この結果、今回の得点が最大の基地局装置が１つのみである場合（すなわち、優先度が最大のＴＰＣコマンドが１つのみ抽出された場合）は、対応する１つのＴＰＣコマンドが採用されて送信電力制御が行われる（ＳＴ４４００）。
【０１２３】
一方、抽出されたＴＰＣコマンドが２つ以上である場合、換言すれば、複数の基地局装置の今回の得点が最大かつ等しい場合は、これらの基地局装置のＴＰＣコマンドについてオアオブダウン方式が適用される（ＳＴ４５００）。すなわち、いずれか１つの基地局装置でもＴＰＣコマンドとして「Ｄｏｗｎ」を送信していれば、送信電力制御部２８０は現在の送信電力を減少させる。また、すべての基地局装置がＴＰＣコマンドとして「Ｕｐ」を送信していれば、送信電力制御部２８０は現在の送信電力を増加させる。
【０１２４】
そして、送信データバッファ部２５０、誤り訂正符号化部２６０、および変調部２７０を経た送信データまたは再送データは、上述のように制御された送信電力で、ＲＦ送信部２９０から、パケット化された上でアンテナを介して送信される。
【０１２５】
以上のように、本実施の形態によれば、最大ドップラー周波数に応じて決定された忘却係数を前回の得点に乗算し、忘却係数乗算後の前回の得点に新たなＡＣＫ／ＮＡＣＫの点数を加算して今回の得点を算出する。そして、今回の得点が最大である基地局装置から送信されたＴＰＣコマンドの優先度を最大にするため、ＴＰＣコマンドの選択において、上り回線の伝搬環境が安定して良好であるか否かを反映させることができる。
【０１２６】
なお、上記実施の形態２〜４においては、ＴＴＩ区間の設定および忘却係数の決定に最大ドップラー周波数を用いるが、最大ドップラー周波数は、各基地局装置が上り回線の最大ドップラー周波数を測定し、移動局装置へ通知するようにすれば良い。また、図８および図１１に示した例では、最大ドップラー周波数に応じて設定されるＴＴＩ区間を全基地局装置＃１〜＃３に共通のものとしたが、実際には各基地局装置において測定される最大ドップラー周波数が異なっていると考えられるため、それぞれの基地局装置＃１〜＃３で異なるＴＴＩ区間を設定しても良い。同様に、実施の形態４における忘却係数も基地局装置ごとに異なっていても良い。
【０１２７】
また、上記実施の形態３、４においては、ＡＣＫに１点、ＮＡＣＫに０点を付与して数値化するものとしたが、それぞれに付与される点数は任意で良い。
【０１２８】
また、上記実施の形態３、４において、初めて送信されたパケットに対するＡＣＫの点数を高くし、再送されたパケットに対するＡＣＫの点数を低くするようにしても良い。同じＡＣＫでも、ＮＡＣＫが送信された直後のＡＣＫは、再送されたパケットに対するＡＣＫであることを意味しており、再送が発生しているということは上り回線の伝送品質が良好ではないことになる。したがって、２回以上連続して送信されたＡＣＫは、初回送信のパケットに対するＡＣＫであると判断され、このようなＡＣＫに対して高い点数を付与することにより、さらに正確に上り回線の伝搬環境を反映することができる。
【０１２９】
同様に考えて、ＡＣＫの前にＮＡＣＫが連続した回数に応じて、点数に傾斜を設けるようにしても良い。すなわち、例えば、ＡＣＫの前にＮＡＣＫが１回のみであれば、再送が１回のみ発生したことになるため比較的高い点数を付与し、ＡＣＫの前にＮＡＣＫが２回連続していれば、再送が２回発生したことになるため比較的低い点数を付与するようにしても良い。
【０１３０】
本発明の第１の態様に係る移動局装置は、上り回線の信号に対する受信確認応答および送信電力制御コマンドを複数の基地局装置から受信する受信手段と、受信された複数の受信確認応答を用いて、受信された複数の送信電力制御コマンドのうち優先度が最大の送信電力制御コマンドを選択する選択手段と、選択された送信電力制御コマンドに従って送信電力を制御する制御手段と、を有する構成を採る。
【０１３１】
この構成によれば、複数の基地局装置からそれぞれ受信された受信確認応答を用いて、各基地局装置に対応するＴＰＣコマンドのうち優先度が最大のものを選択して送信電力制御を行う。このため、上り回線を伝送された信号が基地局装置によって誤りなく受信されたか否かの情報をＴＰＣコマンドの選択に反映して、上り回線のパケットの伝送品質をより確実に改善するＴＰＣコマンドを選択することができ、結果として、上り回線における再送を低減してセクタースループットを向上させることができる。
【０１３２】
本発明の第２の態様に係る移動局装置は、上記第１の態様において、前記選択手段は、最も新しく受信された基地局装置ごとの受信確認応答が受信成功を示すＡＣＫであるか受信失敗を示すＮＡＣＫであるかを判定する判定部と、判定の結果、受信確認応答がＡＣＫである基地局装置から送信された送信電力制御コマンドを抽出する抽出部と、を有する構成を採る。
【０１３３】
この構成によれば、最新の受信確認応答としてＡＣＫを送信した基地局装置からのＴＰＣコマンドを抽出するため、最新の上り回線の伝送品質を反映してＴＰＣコマンドを選択することができるとともに、簡便な回路構成で適切なＴＰＣコマンド選択を実現することができる。
【０１３４】
本発明の第３の態様に係る移動局装置は、上記第１の態様において、前記選択手段は、過去に受信された受信確認応答を用いて、優先度が最大である送信電力制御コマンドを選択する構成を採る。
【０１３５】
この構成によれば、過去に受信された受信確認応答を用いてＴＰＣコマンドを選択するため、上り回線の伝送品質が長期にわたって安定して良好な基地局装置からのＴＰＣコマンドを選択することができる。
【０１３６】
本発明の第４の態様に係る移動局装置は、上記第３の態様において、前記選択手段は、最大ドップラー周波数に応じて過去の受信確認応答を送信電力制御コマンドの選択に反映する構成を採る。
【０１３７】
この構成によれば、最大ドップラー周波数に応じて過去の受信確認応答を用いるため、フェージング変動の速さを考慮して対象とする受信確認応答の区間や過去の受信確認応答に対する重みを決定することができ、上り回線の長期にわたる伝送品質をさらに正確にＴＰＣコマンドの選択に反映することができる。
【０１３８】
本発明の第５の態様に係る移動局装置は、上記第３の態様において、前記選択手段は、受信された基地局装置ごとの受信確認応答の履歴を記憶するバッファ手段と、受信された受信確認応答を数値化して基地局装置ごとの得点とする数値化手段と、得点が最も高い基地局装置から送信された送信電力制御コマンドを抽出する抽出手段と、を含む構成を採る。
【０１３９】
この構成によれば、基地局装置ごとの受信確認応答の履歴において、ＡＣＫおよびＮＡＣＫを数値化して基地局装置ごとの得点を決定し、得点が最も高い基地局装置から送信されたＴＰＣコマンドを抽出する。このため、過去の受信確認応答をＴＰＣコマンドの選択に確実に反映することができるとともに、ＡＣＫおよびＮＡＣＫの数値化によって処理を容易にすることができる。
【０１４０】
本発明の第６の態様に係る移動局装置は、上記第５の態様において、前記数値化手段は、所定の区間内の受信確認応答におけるＡＣＫの数を計数して基地局装置ごとの得点とする計数部、を有する構成を採る。
【０１４１】
この構成によれば、所定区間内のＡＣＫの数を基地局装置ごとの得点とするため、少ない演算量で上り回線の伝送品質が安定して良好な基地局装置を選択することができる。
【０１４２】
本発明の第７の態様に係る移動局装置は、上記第５の態様において、前記数値化手段は、所定の区間内の受信確認応答に対して点数を付与する点数化部と、所定の区間内における基地局装置ごとの点数の加算平均を算出して基地局装置ごとの得点とする算出部と、を有する構成を採る。
【０１４３】
この構成によれば、所定区間内における受信確認応答の点数を加算平均して基地局装置ごとの得点とするため、所定区間が基地局装置ごとに異なっている場合でも、単純に基地局装置ごとの得点を比較して、上り回線の伝送品質が安定して良好な基地局装置を選択することができる。また、加算平均を所定の閾値と比較することにより、基地局装置間の相対的な比較のみではなく、上り回線の伝送品質に絶対的な基準を設けることができる。
【０１４４】
本発明の第８の態様に係る移動局装置は、上記第５の態様において、前記数値化手段は、前回の基地局装置ごとの得点に重み付けをした上で新たに受信された受信確認応答に付与される点数を加算して今回の基地局装置ごとの得点を算出する重み付け点数化部、を有する構成を採る。
【０１４５】
この構成によれば、前回の基地局装置ごとの得点に重み付けをした上で、新たな受信確認応答の点数を加算して今回の得点とするため、過去の受信確認応答をすべて考慮に入れて上り回線の伝送品質を比較することができ、より確実に上り回線の伝送品質が良好な基地局装置からのＴＰＣコマンドを選択することができる。
【０１４６】
本発明の第９の態様に係る移動局装置は、上記第８の態様において、前記重み付け点数化部は、最大ドップラー周波数に応じて前回の基地局装置ごとの得点に重み付けする構成を採る。
【０１４７】
この構成によれば、最大ドップラー周波数に応じて前回の基地局装置ごとの得点に重み付けするため、フェージング変動の速さを考慮して忘却係数を決定することができ、上り回線の長期にわたる伝送品質をさらに正確にＴＰＣコマンドの選択に反映することができる。
【０１４８】
本発明の第１０の態様に係る移動局装置は、上記第５の態様において、前記数値化手段は、初めて送信された信号に対するＡＣＫと再送された信号に対するＡＣＫとを異なる値に数値化する構成を採る。
【０１４９】
この構成によれば、初回送信の信号に対するＡＣＫと再送の信号に対するＡＣＫとに異なる点数を付与するため、初回送信の信号に対するＡＣＫのみをＡＣＫとして計数したり、再送の信号に対するＡＣＫに低い点数を付与したりするなど、より厳密に上り回線の伝送品質を評価することができる。
【０１５０】
本発明の第１１の態様に係る移動局装置は、上記第１の態様において、前記制御手段は、複数の送信電力制御コマンドが選択された場合に、送信電力を下げる旨の送信電力制御コマンドが少なくとも１つ選択されていれば送信電力を減少させる構成を採る。
【０１５１】
この構成によれば、複数のＴＰＣコマンドのうち１つでも送信電力を下げる旨のものがあれば、送信電力を減少させるため、システム全体における干渉の増大を防止することができるとともに、加入者容量を増加させることができる。
【０１５２】
本発明の第１２の態様に係る上り回線送信電力制御方法は、上り回線の信号に対する受信確認応答および送信電力制御コマンドを複数の基地局装置から受信するステップと、受信された複数の受信確認応答を用いて、受信された複数の送信電力制御コマンドのうち優先度が最大の送信電力制御コマンドを選択するステップと、選択された送信電力制御コマンドに従って送信電力を制御するステップと、を有するようにした。
【０１５３】
この方法によれば、複数の基地局装置からそれぞれ受信された受信確認応答を用いて、各基地局装置に対応するＴＰＣコマンドのうち優先度が最大のものを選択して送信電力制御を行う。このため、上り回線を伝送された信号が基地局装置によって誤りなく受信されたか否かの情報をＴＰＣコマンドの選択に反映して、上り回線のパケットの伝送品質をより確実に改善するＴＰＣコマンドを選択することができ、結果として、上り回線における再送を低減してセクタースループットを向上させることができる。
【産業上の利用可能性】
【０１５４】
本発明に係る移動局装置および上り回線送信電力制御方法は、上り回線のパケットの伝送品質をより確実に改善するＴＰＣコマンドを選択することができ、結果として、上り回線における再送を低減してセクタースループットを向上させることができ、例えばセル間を移動する際にソフトハンドオーバを実行する移動局装置および上り回線送信電力制御方法として有用である。
【図面の簡単な説明】
【０１５５】
【図１】本発明の実施の形態１に係る基地局装置の要部構成を示すブロック図
【図２】実施の形態１に係る移動局装置の要部構成を示すブロック図
【図３】実施の形態１に係るＴＰＣコマンド選択部の内部構成を示すブロック図
【図４】実施の形態１に係るＴＰＣコマンド選択動作を示すフロー図
【図５】実施の形態１に係るＡＣＫ／ＮＡＣＫの履歴の一例を示す図
【図６】本発明の実施の形態２に係るＴＰＣコマンド選択部の内部構成を示すブロック図
【図７】実施の形態２に係るＴＰＣコマンド選択動作を示すフロー図
【図８】実施の形態２に係るＡＣＫ／ＮＡＣＫの履歴の一例を示す図
【図９】本発明の実施の形態３に係るＴＰＣコマンド選択部の内部構成を示すブロック図
【図１０】実施の形態３に係るＴＰＣコマンド選択動作を示すフロー図
【図１１】実施の形態３に係るＡＣＫ／ＮＡＣＫの履歴の一例を示す図
【図１２】本発明の実施の形態４に係るＴＰＣコマンド選択部の内部構成を示すブロック図
【図１３】実施の形態４に係るＴＰＣコマンド選択動作を示すフロー図
【図１４】移動体通信システムの一例を示す図
【図１５】送信電力制御におけるオアオブダウン方式の一例を示す図
【符号の説明】
【０１５６】
２００  ＲＦ受信部
２１０  復調部
２２０  誤り訂正復号部
２３０  データ再送制御部
２４０  ＴＰＣコマンド選択部
２４２  ＡＣＫ／ＮＡＣＫ判定部
２４４  ＴＰＣコマンド抽出部
２５０  送信データバッファ部
２６０  誤り訂正符号化部
２７０  変調部
２８０  送信電力制御部
２９０  ＲＦ送信部
４０２  バッファ部
４０４  ＡＣＫ計数部
６０２  点数化部
６０４  加算平均算出部
８０２  重み付け点数化部
【図１】
2006081085.tif 000003
【図２】
2006081085.tif 000004
【図３】
2006081085.tif 000005
【図４】
2006081085.tif 000006
【図５】
2006081085.tif 000007
【図６】
2006081085.tif 000008
【図７】
2006081085.tif 000009
【図８】
2006081085.tif 000010
【図９】
2006081085.tif 000011
【図１０】
2006081085.tif 000012
【図１１】
2006081085.tif 000013
【図１２】
2006081085.tif 000014
【図１３】
2006081085.tif 000015
【図１４】
2006081085.tif 000016
【図１５】
2006081085.tif 000017